(57)【要約】【課題】繰り返しクリーニングされても、型崩れし難く、マットレスに対するフィット性が優れたマットレス用シーツを提供することにある。【解決手段】マットレスの上面部を覆う表地部１ａ、マットレスの周面部を覆う周側部１ｂ及びマットレスの裏面部を覆う裏地部１ｃが伸縮性を有する１枚の布地によって形成されたシーツ本体１と、マットレスにシーツ本体を覆ったとき、該マットレスの四隅部に対向するシーツ本体の周側部に設けられ表地部の内面に対して裏地部の内面が離間するように下方に突出するコーナ部７と、シーツ本体の裏地部に設けられ、マットレスが挿通可能な略四角形状の開口部８と、開口部の外周縁部に設けられ、前記シーツ本体の布地と同一の布地を縫合することにより形成された角部を有する縫合縁部９と、シーツ本体のコーナ部から縫合縁部の角部９ａに向う裏地部に、シーツ本体の対角線に沿って形成され、裏地部が表地部の内面から離間するように略円弧状に膨出する膨出部１０とを具備したことを特徴とする。【選択図】図１
2006326173.tif 000002
【特許請求の範囲】
【請求項１】
上面部が四角形状のマットレスに覆うように装着されるマットレス用シーツにおいて、
前記マットレスの上面部を覆う表地部、マットレスの周面部を覆う周側部及びマットレスの裏面部を覆う裏地部が伸縮性を有する１枚の布地によって形成されたシーツ本体と、
前記マットレスをシーツ本体で覆ったとき、該マットレスの四隅部に対向する前記シーツ本体の周側部に設けられ前記表地部の内面に対して前記裏地部の内面が離間するように下方に突出するコーナ部と、
前記シーツ本体の裏地部に設けられ、前記マットレスが挿通可能な略四角形状の開口部と、
前記開口部の外周縁部に設けられ、前記シーツ本体の布地と同一の布地を縫合することにより形成された角部を有する縫合縁部と、
前記シーツ本体のコーナ部から前記縫合縁部の角部に向う前記裏地部に、前記シーツ本体の対角線に沿って形成され、前記裏地部が前記表地部の内面から離間するように略円弧状に膨出する膨出部と、
を具備したことを特徴とするマットレス用シーツ。
【発明の詳細な説明】
【技術分野】
【０００１】
この発明は、例えば、病院用ベッドのマットレスに着脱可能に装着されるマットレス用シーツに関する。
【背景技術】
【０００２】
病院用ベッドのマットレスに敷設されるシーツには、１枚のシート状タイプのものと、袋状でマットレスを包むように覆い被せるタイプのものがある。前者のものは、シーツの前後・左右両側部をマットレスの下側に挿し込んで保持するようになっているが、就寝者の寝返り等によってシーツがずれ易いという問題がある。また、後者のものは、前述のようなシーツのずれ等は防止できるものの、マットレスに対する着脱が面倒である。
【０００３】
そこで、マットレスを包むように覆い被せる袋状のシーツの裏地部に、マットレスを挿通させるために設けられる開口部の開口縁部を筒状に縫合し、この筒部にゴム紐を挿通してゴム紐の弾性によって開口部を広げることができ、しかもゴム紐の弾性によってシーツを緊張できるようにしたものがある。
【０００４】
また、下敷きマットレスと上敷きマットレスに被せるシーツを袋状に形成するとともに、シーツの裏面部にマットレスを挿通させるために設けられた開口部のコーナ部の角度を約８０°にし、皺の発生を防止したマットレス用シーツも知られている（例えば、特許文献１参照。）。
【特許文献１】特開２００４−３３５５５号公報
【発明の開示】
【発明が解決しようとする課題】
【０００５】
しかしながら、病院用ベッドのマットレス用シーツは、汚れの有無に拘らず、マットレスから取り外して定期的にクリーニング業者にクリーニングを依頼されるものであり、また病院ではクリーニングされたシーツを看護士あるいは看護助士の手によってベッドメーキングされる。
【０００６】
従って、看護士あるいは看護助士の負担を軽減するためマットレスに対する着脱が容易であることが望ましい。この点、前述したように、シーツの裏地部に設けられた開口縁部にゴム紐を入れたものは、開口部の開口幅が伸縮するため、マットレスに対する着脱が容易であるが、繰り返しクリーニングされると、ゴム紐の伸縮性が損なわれてシーツがマットレスにフィットしなくなる。また、シーツにゴム紐が入っていると、アイロン掛けもし難く作業性が悪いとともに、ゴム紐に無理な張力が加わってゴム紐の伸縮性が早期に損なわれるという問題がある。
【０００７】
また、前記特許文献１のものは、シーツの裏面部に設けられた開口部のコーナ部の角度を約８０°にして皺の発生を防止するものは、シーツが新しいうちは、その効果が期待できるが、繰り返しクリーニングされると、型崩れしてコーナ部の角度が８０°以上に広がり、シーツがマットレスにフィットしなくなるという問題がある。
【０００８】
この発明は、前記事情に着目してなされたもので、その目的とするところは、マットレスに対する着脱が容易であるとともに、繰り返しクリーニングされても、型崩れし難く、マットレスに対するフィット性が優れたマットレス用シーツを提供することにある。
【課題を解決するための手段】
【０００９】
この発明は、前記目的を達成するために、上面部が四角形状のマットレスに覆うように装着されるマットレス用シーツにおいて、前記マットレスの上面部を覆う表地部、マットレスの周面部を覆う周側部及びマットレスの裏面部を覆う裏地部が伸縮性を有する１枚の布地によって形成されたシーツ本体と、前記マットレスをシーツ本体で覆ったとき、該マットレスの四隅部に対向する前記シーツ本体の周側部に設けられ前記表地部の内面に対して前記裏地部の内面が離間するように下方に突出するコーナ部と、前記シーツ本体の裏地部に設けられ、前記マットレスが挿通可能な略四角形状の開口部と、前記開口部の外周縁部に設けられ、前記シーツ本体の布地と同一の布地を縫合することにより形成された角部を有する縫合縁部と、前記シーツ本体のコーナ部から前記縫合縁部の角部に向う前記裏地部に、前記シーツ本体の対角線に沿って形成され、前記裏地部が前記表地部の内面から離間するように略円弧状に膨出する膨出部とを具備したことを特徴とする。
【発明の効果】
【００１０】
この発明によれば、シーツ本体のコーナ部から縫合縁部の角部に向う裏地部に表地部の内面から離間するように略円弧状に膨出する膨出部を設けることによって、ゴム紐を入れることなく開口部が広がり、マットレスに対するシーツの着脱が容易である。さらに、繰り返しクリーニングされても、型崩れし難く、マットレスに対するフィット性が優れたマットレス用シーツを提供できる。
【発明を実施するための最良の形態】
【００１１】
以下、この発明の実施の形態を図面に基づいて説明する。
【００１２】
図１〜図３に示すように、例えば、病院用ベッドのマットレスに覆うように装着されるマットレス用シーツは、伸縮性を有する１枚の布地、例えば、ニット素材によってシーツ本体１が形成されている。シーツ本体１は、マットレス２の上面部３を覆う表地部１ａ、マットレス２の周面部４を覆う周側部１ｂ及びマットレス２の裏面部５を覆う裏地部１ｃを有している。
【００１３】
シーツ本体１は、マットレス２に覆ったとき、該マットレス２の四隅部６に対向する周側部４にコーナ部７を有している。このコーナ部７は、シーツ本体１の表地部１ａの内面に対して裏地部１ｃの内面が離間するように下方に突出している。さらに、シーツ本体１の裏地部１ｃにはマットレス２が挿通可能な大きさの略四角形状の開口部８が設けられている。従って、マットレス２の裏面部５の中央部は開口部８から露出するようになっている。
【００１４】
また、シーツ本体１の開口部８の外周縁部にはシーツ本体１を形成する布地と同一の布地を縁取り縫合することにより略四角形状の縫合縁部９が形成されている。この縫合縁部９は、自然の状態においては表地部１ａの内面と接近して扁平状に形成されている。縫合縁部９はシーツ本体１を形成する布地と同一の布地であるため、その長手方向にある程度伸縮可能であり、伸張することにより開口部８の開口幅は拡大できる。さらに、シーツ本体１のコーナ部７から縫合縁部９の角部９ａに向う裏地部１ｃにはシーツ本体１の下方に略円弧状に膨出する膨出部１０が形成されている。すなわち、膨出部１０はシーツ本体１の裏地部１ｃにおけるコーナ部７を縫合縁部９の角部９ａに向って斜めに裁断し、左右に隣り合う縫い代を縫合することにより、側面視で略円弧状に膨出する膨出部１０が形成されている。
【００１５】
膨出部１０はシーツ本体１のコーナ部７を対角方向から見たとき鋭角の山形状に突出している。従って、膨出部１０は、ニット素材のシーツ本体１の伸縮性と相俟って対角方向及び対角方向と直交する方向に伸縮性を富んでいる。
【００１６】
このように構成された本発明のマットレス用シーツによれば、伸縮性を有する１枚のニット素材によってシーツ本体１が形成され、シーツ本体１は、マットレス２の上面部３を覆う表地部１ａ、マットレス２の周面部４を覆う周側部１ｂ及びマットレス２の裏面部５を覆う裏地部１ｃが縫い目のない１枚布地である。従って、シーツ本体１の全体が伸縮性に優れ、開口部８の縫合縁部９もシーツ本体１と同一素材で形成されており、従来のように、ゴム紐等を用いていないため、繰り返しクリーニングされても型崩れし難いとともに、アイロン掛け作業もし易いという効果がある。
【００１７】
また、マットレス２にシーツを装着する際に、マットレス２の頭側もしくは足側をシーツ本体１の開口部８に挿通し、マットレス２の上面部３の一部にシーツ本体１の表地部１ａを被せるとともに、マットレス２の周面部４の一部にシーツ本体１の周側部１ｂを被せる。このとき、縫合縁部９はその長手方向に伸縮可能であるため、伸張することにより開口部８の開口幅は拡大するため、マットレス２の一部にシーツ本体１を簡単に装着できる。
【００１８】
次に、マットレス２の上面部３の残りの一部にシーツ本体１の表地部１ａを被せるとともに、マットレス２の周面部４の残りの一部にシーツ本体１の周側部１ｂを被せ、最後に、マットレス２の頭側もしくは足側をシーツ本体１の開口部８に挿通することにより、マットレス２の裏面部５の一部を除く全体をシーツ本体１によって覆うことができ、マットレス２に対してシーツ本体１を簡単に装着できる。
【００１９】
しかも、シーツ本体１の裏地部１ｃにおけるコーナ部７には膨出部１０が形成されているため、マットレス２に対してシーツ本体１を装着したとき、膨出部１０の長手方向、つまり、シーツ本体１の裏地部１ｃにおけるコーナ部７に対角線方向（矢印方向）の張力が加わり、この張力によってシーツ本体１がマットレス２にフィットする。シーツ本体１の開口部８の縫合縁部９にはゴム紐が通してあるのが一般的であるが、本発明は、シーツ本体１の裏地部１ｃにおけるコーナ部７に略円弧状に膨出する膨出部１０が形成されているため、コーナ部７に対角線方向（矢印方向）の張力が加ってシーツ本体１がマットレス２にフィットする。ゴム紐は、繰り返しクリーニングされると、ゴム紐の伸縮性が損なわれてシーツ本体１がマットレス２にフィットしなくなる。また、シーツ本体１にゴム紐が入っていると、アイロン掛けもし難く、ゴム紐に無理な張力が加わってゴム紐の伸縮性が早期に損なわれるという問題があるが、このような問題を解消できる。
【図面の簡単な説明】
【００２０】
【図１】この発明の第１の実施形態に係るマットレス用シーツの裏面側から見た斜視図。
【図２】同実施形態を示し、図１のＡ−Ａ線に沿って断面した拡大図。
【図３】同実施形態を示し、マットレスにシーツを装着した状態の裏面側から見た斜視図。
【符号の説明】
【００２１】
１…シーツ本体、１ａ…表地部、１ｂ…周側部、１ｃ…裏地部、２…マットレス、７…コーナ部、８…開口部、９…縫合縁部、９ａ…角部、１０…膨出部
【図１】
2006326173.tif 000003
【図２】
2006326173.tif 000004
【図３】
2006326173.tif 000005